(57)【要約】【課題】接触線のはんだ付けの困難をなくし、スピーディに組立て、且つ接触の安定性を高める接続端子の構造を提供する。【解決手段】接続端子の構造は、各種電器設備に於ける入力、出力インターフェイス内の接続端子に幅広く運用される。その接続端子の複数個の金属接触折片はプラスチック本体とともに射出成型され、そのプラスチック左右側には各々二段式の掛合い溝槽が設置される。掛合い部左右側にはそれぞれお掛合い鈎が設置され、先ず掛合い鈎を二段式掛合い溝槽の上層溝槽に掛合いし、撓み性を具えた多芯連接線を金属接触折片上に差し込み、続いて掛合い部を下向きに押して掛合いし、掛合い鈎を二段式掛合い溝槽の下層溝槽に掛合いすると、連接線と金属接触折片が緊密に接触し、一体化した接続端子が形成される。【選択図】図２
0003123876.tif 000002
【実用新案登録請求の範囲】
【請求項１】
プラスチック本体、金属接触折片、掛合い部及び多芯連接線から構成された接続端子の構造において、
複数個の金属接触折片は、均一に配列して、プラスチック本体と一体で射出成型され、その複数個の金属接触折片の一端は、プラスチック本体後部が露出し、このプラスチック本体左右側にはそれぞれ上層溝槽及び下層溝槽を具えた二段式掛合い溝槽が設置され、
掛合い部は、左右側に各々掛合い鈎が設置され、且つこの掛合い部は、複数個の金属接触折片に相対し、複数個の納置槽がされ、
掛合い部左右側の掛合い鈎は、先ず初めにプラスチック本体左右側の上層溝槽に掛合いし、その掛合い部は複数個の納置槽を具え、ひとつひとつが複数個の金属接触折片に区画され、撓み性を具えた多芯連接線を納置槽内の金属接触折片上に差し込み、次に掛合い部を下向きに押して掛合いし、掛合い部左右側の掛合い鈎をプラスチック本体左右側の下層溝槽に掛合いし、多芯連接線と金属接触折片を緊密に接触させ、接続端子を一体化させることを特徴とする接続端子の構造。
【請求項２】
請求項１記載の接続端子の構造において、前記金属接触折片は、その端部が“く”の字型で、上向きに傾斜して折れ曲がることを特徴とする接続端子の構造。
【請求項３】
請求項１記載の接続端子の構造において、前記金属接触折片は、その端部が“Ｓ”字型で、上向きに二回傾斜角度を形成して折れ曲がることを特徴とする接続端子の構造。
【考案の詳細な説明】
【技術分野】
【０００１】
本考案は、接続端子の構造に関するもので、接触線のはんだ付けの困難をなくし、スピーディに組立て、且つ接触の安定性を高めるものである。
【背景技術】
【０００２】
公知の接続端子は、図１に示すとおり、複数個の金属接触片１１と、プラスチック本体１０が射出成型される。現在市場での電器設備は、すべて軽量且つ小体積の小型化設計である。そのため、市場の電気設備に対応する入力出力インターフェイスに相対する接続端子は、その外部サイズ全体が制限を受ける。複数個の金属接触片１１の隣合う感覚は、非常に狭い。更に公知の接続端子は、複数本の多芯連接線１２を複数個の金属接触片１１にはんだ付けする。
【０００３】
複数個の金属接触片１１と複数本の多芯連接線１２のはんだ付け面の幅は非常に小さく、はんだ付け作業を行う時、非常に困難を伴う。更に限られた区域内で、はんだ付けする数は多く、且つ極小で非常に柔らかい接触線材である。更に識別が複雑であり、往々にしてはんだ付け接点の液が隣の金属接触片に着いてしまい、ショートしてしまう。そのため、製品の不良率が高くなり、製造コストも上がる点である。
【考案の開示】
【考案が解決しようとする課題】
【０００４】
本考案の主な目的は、接続端子の構造を提供し、各種電気設備に広範に運用し、その入力出力インターフェイス内の接続端子は、複数個の金属接触折片がプラスチック本体と一体成型される。このプラスチック本体の左右側には二段式の掛合い溝槽が各々設置される。掛合い部左右側にそれぞれ設置した掛合い鈎で、先ず掛合い鈎を二段式掛合い溝槽の上層溝槽に掛合いし、撓み性を具えた多芯連接線を金属接触折片上に差し込み、次に掛合い部を下向きに押して掛合いし、掛合い鈎を二段式掛合い溝の下層溝槽に掛合いし、連接線と金属接触折片を緊密に接触させ、連接端子を組み立てる。これにより、接触線のはんだ付けの困難を取り除き、スピーディに組み立てる。
【０００５】
本考案の別の目的は、接続端子の金属接触折片と接触材が緊密に接触し、接触効果を改善し、接触が安定し、信号の伝達を強化する。
【課題を解決するための手段】
【０００６】
請求項１の考案は、プラスチック本体、金属接触折片、掛合い部及び多芯連接線から構成された接続端子の構造において、
複数個の金属接触折片は、均一に配列して、プラスチック本体と一体で射出成型され、その複数個の金属接触折片の一端は、プラスチック本体後部が露出し、このプラスチック本体左右側にはそれぞれ上層溝槽及び下層溝槽を具えた二段式掛合い溝槽が設置され、
掛合い部は、左右側に各々掛合い鈎が設置され、且つこの掛合い部は、複数個の金属接触折片に相対し、複数個の納置槽がされ、
掛合い部左右側の掛合い鈎は、先ず初めにプラスチック本体左右側の上層溝槽に掛合いし、その掛合い部は複数個の納置槽を具え、ひとつひとつが複数個の金属接触折片に区画され、撓み性を具えた多芯連接線を納置槽内の金属接触折片上に差し込み、次に掛合い部を下向きに押して掛合いし、掛合い部左右側の掛合い鈎をプラスチック本体左右側の下層溝槽に掛合いし、多芯連接線と金属接触折片を緊密に接触させ、接続端子を一体化させることを特徴とする接続端子の構造としている。
請求項２の考案は、請求項１記載の接続端子の構造において、前記金属接触折片は、その端部が“く”の字型で、上向きに傾斜して折れ曲がることを特徴とする接続端子の構造としている。
請求項３の考案は、請求項１記載の接続端子の構造において、前記金属接触折片は、その端部が“Ｓ”字型で、上向きに二回傾斜角度を形成して折れ曲がることを特徴とする接続端子の構造としている。
【考案の効果】
【０００７】
本考案の接続端子の構造は、接触線のはんだ付けの困難をなくし、スピーディに組立て、且つ接触の安定性を高めるという利点がある。
【考案を実施するための最良の形態】
【０００８】
図２、図３に示すとおり、本考案の接続端子の構造は、プラスチック本体２０、金属接触折片２１、掛合い部３０及び多芯連接線２２から構成される。そのうち、複数個の金属接触折片２１は、均一に配列してプラスチック本体２０と一体で射出成型される。この複数個の金属接触折片２１は、一端がプラスチック本体２０後部に露出する。またプラスチック本体２０左右側には各々上層溝槽２３及び下層溝槽２４の二段式掛合い溝槽が設置される。
【０００９】
この掛合い部３０は、左右側に各々掛合い鈎３１が成形され、且つこの掛合い部３０は複数個の金属接触折片２１に相対して、複数個の納置槽３２が形成される。
【００１０】
掛合い部３０左右側の掛合い鈎３１は、先ず初めにプラスチック本体２０左右側の上層溝槽２３に掛合いする。図４、図５に示すとおり、この掛合い部３０の複数個の納置槽３２は、ひとつひとつが複数個の金属接触折片２１に区画され、撓み性を具えた多芯連接線２２を納置槽３２内の金属接触折片２１上に差し入れる。そして次に掛合い部３０を下向きに押して掛合いし、図６、図７に示すとおり、掛合い部３０左右側の掛合い鈎３１をプラスチック本体２０左右側の下層溝槽２４に掛合いし、多芯連接線２２と金属接触折片２１を緊密に接触させ、接続端子にする。
【００１１】
前述の本考案のプラスチック本体２０左右側に上層溝槽２３及び下層溝槽２４の二段式の掛合い溝槽を各々設置し、掛合い部３０の掛合い鈎３１で、先ず上層溝槽２３に掛合いし、撓み性を具えた多芯連接線２２を迅速且つ正確に掛合い部３０の納置槽３２内に差し込み、次に掛合い部３０の掛合い鈎３１を下向きに押して下層溝槽２４に掛合いし、迅速且つ正確に掛合い構造を形成する。
【００１２】
本考案の金属接触折片２１は、図５に示すとおり、その端部は“く”の字型で、やや上向きに適度に傾斜して折れ曲がっている。
【００１３】
本考案の金属接触折片の別の実施例構造を示す。図８、図９に示すとおり、金属接触折片４１の端部は“Ｓ”字型で、上向きに二回傾斜して適度に折れ曲がる。撓み性を具えた多芯連接線２２は、金属接触折片４１の二回の曲折内に差し込み、多芯連接線２２は金属接触折片４１によって、上下に覆うように挟持されるため、緊密な接触効果が更に向上し、接触がより安定し、信号伝送質を強化する。
【図面の簡単な説明】
【００１４】
【図１】公知の接続端子の構造表示図である。
【図２】本考案の分解構造表示図である。
【図３】本考案の組立構造表示図である。
【図４】図３のＡーＡ断面の第一掛合い構造表示図である。
【図５】図４のＢ−Ｂ断面局部構造表示図である。
【図６】図３のＡーＡ断面第二掛合い構造表示図である。
【図７】図６のＣ−Ｃの断面局部構造表示図である。
【図８】本考案の別の金属接触折片の実施例構造表示図である。
【図９】本考案の別の金属接触折片の実施例構造表示図である。
【符号の説明】
【００１５】
１０        プラスチック本体
１１        金属接触片
１２        多芯連接線
２０        プラスチック本体
２１        金属接触折片
２２        多芯連接線
２３        上層溝槽
２４        下層溝槽
３０        掛合い部
３１        掛合い鈎
３２        納置槽
４１        金属接触折片
【図１】
0003123876.tif 000003
【図２】
0003123876.tif 000004
【図３】
0003123876.tif 000005
【図４】
0003123876.tif 000006
【図５】
0003123876.tif 000007
【図６】
0003123876.tif 000008
【図７】
0003123876.tif 000009
【図８】
0003123876.tif 000010
【図９】
0003123876.tif 000011